(57)【要約】【課題】フラットベッドと自動原稿送り装置の双方に原稿を載置してコピーをする場合、ユーザーの所望に応じてどちらからコピーをするかの優先度を設定できるようにして、双方に原稿が載置されている場合に双方を的確にコピーし、フラットベッドへの原稿置き忘れを防止することのできる原稿読取装置を提供する。【解決手段】自動原稿送り装置６Ａへの原稿載置を検知するセンサＳ２と、フラッドベッド６Ｂへの原稿載置を検知するセンサＳ１と、自動原稿読取モード、フラッドベッド読取モードのいずれを優先させるかの選択をさせる選択手段８と、これら双方のセンサＳ１，Ｓ２が原稿載置を検知したときには、この選択手段８によって選択されたいずれかのモードを優先的に行い、その後、他方のモードを行う制御手段１とを備える。【選択図】図１
2005073115.tif 000002
【特許請求の範囲】
【請求項１】
自動原稿送り装置とフラットベッドとを備える原稿読取装置において、上記自動原稿送り装置への原稿載置を検知するセンサと、上記フラッドベッドへの原稿載置を検知するセンサと、自動原稿読取モード、フラッドベッド読取モードのいずれを優先させるかの選択をさせる選択手段と、これら双方のセンサが原稿載置を検知したときには、この選択手段によって選択されたいずれかのモードを優先的に行い、その後、他方のモードを行う制御手段とを備える原稿読取装置。
【請求項２】
請求項１において、
上記自動原稿読取モード、上記フラッドベッド読取モードいずれのモードを行っているかを表示する表示手段を更に備える原稿読取装置。
【請求項３】
請求項１または２において、
上記選択手段は、優先的に行うモードを表示する表示手段を備えている原稿読取装置。
【発明の詳細な説明】
【技術分野】
【０００１】
本発明は、自動原稿送り装置とフラットベッドとを備える原稿読取装置の改良に関する。
【背景技術】
【０００２】
近時、オフィスなどにおいて、下記特許文献１に示すような原稿読取装置が広く使用されている。このものは、自動原稿送り装置とフラットベッドの双方を備えており、コピーが指示された時点で、フラットベッドと自動原稿送り装置の双方に原稿が載置されているときには、フラットベッドの原稿は以前に置き忘れたものとみなして、自動原稿送り装置による読取のみを実行するようにしている。
【特許文献１】特開平１０−６５８４２号公報
【発明の開示】
【発明が解決しようとする課題】
【０００３】
ところで、このような装置においては、コピー前の所定操作により、自動原稿送り装置に続いてフラットベッドでの読取を行う旨の操作をしている場合には、自動原稿送り装置の読取に続いてフラットベッドの読取が行われるが、自動原稿送り装置での読み取り中にこのような指示は、自動原稿送り装置での読取速度が速いため行うことができない。そのため、コピー前に予め指示しなかった場合には、自動原稿送り装置の読み取り中にフラットベッド原稿があることに気づいてもフラットベッド原稿の読取ができず、最初からやり直すか、自動原稿送り装置の読取終了後に改めてフラットベッド原稿の読取を開始させるしか手立てがなく不便であった。
【０００４】
また、いかなる場合も自動原稿送り装置を優先して原稿読取を行うため、フラットベッドでの読取を続けて行う設定がなされていないと、フラットベッドに載置されている旨がいつまでもユーザに気づかれることなく、そのまま載置されっぱなしになるという問題もあった。
【０００５】
本発明は、上記事情を考慮して提案されるものであり、フラットベッドと自動原稿送り装置の双方に原稿を載置してコピーをする場合、ユーザーの所望に応じてどちらからコピーをするかの優先度を設定できるようにして、双方に原稿が載置されている場合に双方を的確にコピーし、フラットベッドへの原稿置き忘れを防止することのできる原稿読取装置を提供することを目的としている。
【課題を解決するための手段】
【０００６】
上記目的を達成するために、本発明の請求項１では、自動原稿送り装置への原稿載置を検知するセンサと、フラッドベッドへの原稿載置を検知するセンサと、自動原稿読取モード、フラッドベッド読取モードのいずれを優先させるかの選択をさせる選択手段と、これら双方のセンサが原稿載置を検知したときには、この選択手段によって選択されたいずれかのモードを優先的に行い、その後、他方のモードを行う制御手段とを備える。
【０００７】
請求項２では、自動原稿読取モード、フラッドベッド読取モードいずれのモードを行っているかを表示する表示手段を更に備える。
【０００８】
請求項３では、選択手段は、優先的に行うモードを表示する表示手段を備えている。
【発明の効果】
【０００９】
本発明の請求項１では、自動原稿送り装置、フラットベッド双方のセンサが原稿載置を検知したときには、選択手段によって選択されたいずれかのモードを優先的に行い、その後、他方のモードを行うので、ユーザにとって必要な側から優先してコピーでき、また、他方の側も優先したモードが終了すれば開始され、いずれの原稿をもコピーすることができ、一方の原稿置き忘れやコピー忘れといった事態を防止できる。
【００１０】
請求項２では、自動原稿読取モード、フラッドベッド読取モードいずれのモードを行っているかを表示する表示手段を更に備えるので、装置がどのモードを行っているかを容易に確認できる。
【００１１】
請求項３では、選択手段は、優先的に行うモードを表示する表示手段を備えるので、優先して行うべく選択したモードが容易に確認できる。
【発明を実施するための最良の形態】
【００１２】
【実施例１】
【００１３】
以下に、本発明の実施の形態について説明する。図１は、本発明の原稿読取装置の要部構成の一例を示す図である。なお、ここでは、原稿読取装置の一例としてファクシミリ装置Ｆの構成を示しているが、自動原稿読取装置とフラットベッドとを備える複写機構を有するものであれば何を用いてもよい。
【００１４】
このファクシミリ装置Ｆは、制御手段を構成し、このファクシミリ装置Ｆを制御するＣＰＵ１と、電話回線Ｌに対する接続制御をするＮＣＵ２と、ファクシミリ通信のために必要な各種信号の変復調をするモデム３と、短縮ダイヤルなどを登録するＲＡＭ４と、このファクシミリ装置Ｆは動作するのに必要なプログラムなどを格納するＲＯＭ５と、ＦＢＳセンサＳ１とＡＤＦセンサＳ２とを有するスキャナ６とを備える。なお、スキャナ６には、自動原稿読取装置とフラットベッドとを備え、ＦＢＳセンサＳ１はフラットベッドへの原稿載置を検出し、ＡＤＦセンサＳ２は自動原稿送り装置への原稿載置を検出する。
また、ファクシミリ装置Ｆは、表示手段を構成する表示部７と、選択手段を構成する操作部８と、プリンタ９とを備える。
【００１５】
スキャナ６を更に説明する。図２はスキャナ６の概略構成の一例を示す図である。スキャナ６には先述のように、自動原稿送り装置６Ａとフラットベッド６Ｂとを有しており、フラットベッド６Ｂの真下ＦＢＳセンサＳ１があり、自動原稿送り装置６Ａの適所にはＡＤＦセンサＳ２がある。
【００１６】
自動原稿送り装置６Ａに載置された原稿は、フラットベッド６Ｂを通過してその原稿画像が読み取られる。自動原稿送り装置６Ａに載置された原稿は、ＡＤＦセンサＳ２によって検出され検出信号がＣＰＵ１に出力される。
【００１７】
一方、フラットベッド６Ｂに載置された原稿はその真下に位置する読取機構により原稿画像が読み取られる。フラットベッド６Ｂに載置された原稿はＦＢＳセンサＳ１によって検出され検出信号がＣＰＵ１に出力される。
【００１８】
このような構成において、自動原稿送り装置６Ａとフラットベッド６Ｂの双方に原稿が載置されている場合のコピー処理について説明する。これについて、図３とともに説明する。
【００１９】
すなわち、双方に原稿が載置されている場合には、ＦＢＳセンサＳ１、ＡＤＦセンサＳ２ともに原稿載置を検出しており、これを受けてＣＰＵ１は、確認メッセージを表示させる（１００，１０１）。
【００２０】
このような確認メッセージの一例として、図４（ａ）に示すようなものがあり、自動原稿送り装置を優先させる（自動原稿読取モード）かフラットベッドを優先させるか（フラットベッド読取モード）の設定を行うための画面が表示される。ユーザはこの画面を参照して優先度の設定を行い、自動原稿送り装置６Ａが優先設定されていれば（１０２）、自動原稿送り装置６Ａでの原稿読取によるコピーを開始する（１０３）。なお、優先度の設定を行えば、表示部７の画面切替えを行い、選択された優先モードの表示を行ってもよい。
【００２１】
開始後は、自動原稿送り装置６Ａでの読取を行っている旨の表示を行い（１０４）、自動原稿送り装置６Ａでの読取によるコピーが終了すると、続けて、フラットベッド６Ｂによる原稿読取を行う（１０５）。このとき、フラットベッド６Ｂによる原稿読取をしている旨を表示させる（１０６）。
【００２２】
一方、確認メッセージ（１０１）にて、フラットベッド６Ｂを優先させる設定がされた場合には、フラッドベット６Ｂにおける読取を開始し（１０７）、その旨を表示させる（１０８）。フラットベッド６Ｂでの全原稿読取が終わると（所定の終了操作をする）、自動原稿送り装置６Ａでの読取を開始し、その旨を表示させる（１１０，１１１）。なお、フラットベッド６Ｂでの原稿読取が１枚終了する毎に図４（ｂ）のようなメッセージを表示し、続けて読み取る場合には「読取」を選択し、終了させる場合には「終了」を選択する。
【産業上の利用可能性】
【００２３】
本発明装置は、オフィスなどに広く用いられるコピー機、ファクシミリ装置、デジタル複合機などに適用できる。
【図面の簡単な説明】
【００２４】
【図１】本発明の内部構成の一例を示す図である。
【図２】スキャナの概略構成の一例を示す図である。
【図３】本発明の基本動作の一例を説明するための図である。
【図４】各種表示について示す図である。
【符号の説明】
【００２５】
Ｆ・・・ファクシミリ装置
１・・・ＣＰＵ
６・・・スキャナ
７・・・表示部
８・・・操作部
Ｓ１・・・ＦＢＳセンサ
Ｓ２・・・ＡＤＦセンサ
【図１】
2005073115.tif 000003
【図２】
2005073115.tif 000004
【図３】
2005073115.tif 000005
【図４】
2005073115.tif 000006